(57)【特許請求の範囲】
【請求項１】
シャフトの先端にヘッドが取り付けられたゴルフクラブであって、
シャフト挿入穴を有した略筒形のシャフトケースの該シャフト挿入穴に該シャフトの先端が挿入されて固着されており、
シャフトケースの外周面の軸心と該シャフトの軸心とが非同軸状となっており、
該ヘッドのホゼルカラム内に該シャフトケースが挿入され、該シャフトケースが該ホゼルカラムに固定されているゴルフクラブにおいて、
該ホゼルカラム内に仕切板部が設けられ、
内孔の内周面にスプラインが設けられた第１のスプラインリング及び第２のスプラインリングが該シャフトケースの先端部と該仕切板部との間に介在されており、
該仕切板部側の該第１のスプラインリングは該ホゼルカラムに固着されており、
該シャフトケースの先端に第１の凸軸部が設けられ、該第１の凸軸部の外周面にスプラインが設けられており、
該第２のスプラインリングの第１のスプラインリング側に第２の凸軸部が設けられ、該第２の凸軸部の外周面にスプラインが設けられており、
該シャフトケースの第１の凸軸部が該第２のスプラインリングの該内孔に挿入され、該第１の凸軸部のスプラインと該第２のスプラインリングのスプラインとが係合しており、
該第２のスプラインリングの第２の凸軸部が該第１のスプラインリングの該内孔に挿入され、該第２の凸軸部のスプラインと該第１のスプラインリングのスプラインとが係合しており、
該仕切板部に設けられたボルト挿通孔に対し該ヘッドのソール側から差し込まれたボルトが該シャフトケースにねじ込まれ、これにより該シャフトケースが該ホゼルカラムに固定されており、該第２のスプラインリングを撤去するか長さの異なる第２のスプラインリングに交換することにより該シャフトケースのホゼルカラムへの挿入深さが変更可能となっており、
前記シャフトケースの後端にフランジ部が設けられ、該フランジ部と前記ホゼルカラムの上端との間にスペーサが介在されており、
前記第２のスプラインリングの撤去又は交換に際して該スペーサが撤去又は長さの異なるスペーサに交換されることを特徴とするゴルフクラブ。
【請求項２】
請求項１において、前記シャフトの軸心が前記シャフトケースの外周面の軸心に対し傾斜方向となっていることを特徴とするゴルフクラブ。
【請求項３】
請求項１において、前記シャフトの軸心と前記シャフトケースの外周面の軸心とが平行であることを特徴とするゴルフクラブ。
【請求項４】
請求項１ないし３のいずれか１項において、前記ヘッドのヒール側にウェイト材が設けられていることを特徴とするゴルフクラブ。
【請求項５】
請求項１ないし４のいずれか１項に記載のゴルフクラブの特性を調節する方法であって、
前記ボルトを外して前記第２のスプラインリングからシャフトケースの凸軸部を離反させ、該シャフトケースを回転させてシャフト挿入穴の位置又はシャフトの傾きを変更した後、再度該シャフトケースの凸軸部を前記第２のスプラインリングと係合させ、前記ボルトによって該シャフトケースを固定することを特徴とするゴルフクラブの特性調節方法。
【請求項６】
請求項１ないし４のいずれか１項に記載のゴルフクラブの特性を調節する方法であって、
前記ボルトを外して前記第１のスプラインリングから第２のスプラインリングの凸軸部を離反させ、該シャフトケースを回転させてシャフト挿入穴の位置又はシャフトの傾きを変更した後、再度該第２のスプラインリングの凸軸部を前記第１のスプラインリングと係合させ、前記ボルトによって該シャフトケースを固定することを特徴とするゴルフクラブの特性調節方法。
【請求項７】
請求項１ないし４のいずれか１項に記載のゴルフクラブのシャフトを新たなシャフトに交換して特性を調節する方法であって、
予め新たなシャフトを新たなシャフトケースに固着して新たなシャフトケース・シャフト連結体を作成しておき、
ゴルフクラブに取り付けられているシャフトケース・シャフト連結体をヘッドから取り外し、このヘッドに新たなシャフトケース・シャフト連結体を取り付けることを特徴とするゴルフクラブの特性調節方法。
【発明の詳細な説明】
【技術分野】
【０００１】
本発明は、ゴルフクラブに係り、特にライ角、スライス角、プログレッション等の特性の調節を容易に行うことができるゴルフクラブに関する。また、本発明は、このゴルフクラブの特性調節方法に関する。
【背景技術】
【０００２】
ゴルフクラブは、シャフトの先端部にヘッドが取り付けられたものである。シャフトの基端側にグリップが装着されている。
【０００３】
従来の一般的なゴルフクラブヘッドにあっては、ヘッドに直にホゼル穴が設けられており、シャフトは該ホゼル穴に挿入され、接着剤によって固着されている。なお、この接着剤は、一般にエポキシ系接着剤が用いられている。シャフト交換に際しては、ホゼル部分を加熱してエポキシ樹脂硬化物よりなる組織を壊すことにより、シャフトを引き抜くことができる。
【０００４】
このような従来の一般的なゴルフクラブヘッドでは、シャフトの交換に手間がかかる。また、ライ角、スライス角、プログレッション等の特性調節はできない。
【０００５】
特許文献１には、シャフトの交換が容易であると共に、ライ角やスライス角、プログレッション等の特性を調節することができるゴルフクラブと、その特性調節方法が記載されている。この特許文献１のゴルフクラブのヘッドは、シャフトの先端を取り付けるためのホゼル挿入穴を備えたゴルフクラブヘッドにおいて、該ホゼル挿入穴の入口部内周面に形成された雌螺子と、シャフトケース挿入穴を有し、該ホゼル挿入穴の奥部に着脱可能に装着されたホゼルと、シャフト挿入穴を有し、先端側が該シャフトケース挿入穴に着脱可能に装着されたシャフトケースと、該シャフトケースに外嵌した、軸心線方向移動不能なリングホルダと、該リングホルダに周方向に回転自在に外嵌した、軸心線方向移動不能な螺子部材とを備え、該螺子部材の外周面に設けられた雄螺子が前記雌螺子に螺合しているものである。
【０００６】
特許文献１のゴルフクラブにあっては、螺子部材をホゼル挿入穴入口部の雌螺子に着脱することによりシャフトケースを固定したりホゼル装着穴から抜き出すことができる。そこで、このホゼル及びリングホルダをライ角、スライス角又はプログレッションの異なる別のホゼル及びリングホルダに交換するか又はホゼルの周方向位相を変更し、このホゼルを介してシャフト付きシャフトケースを再びヘッド本体に装着する。
【０００７】
例えば、シャフトの軸心がホゼル挿入穴の軸心に対し斜め方向（例えば斜交方向）となるホゼル及びリングホルダに交換することにより、ヘッド本体に対するシャフトの取り付け方向が変更され、ライ角やスライス角が変更される。
【０００８】
従って、全く同一のシャフト及び同一のヘッド本体からなるゴルフクラブにおいて、ライ角又はスライス角のみを調節することができる。
【０００９】
また、シャフトケース挿入穴の軸心位置がホゼル挿入穴の軸心位置から平行移動状にずれているホゼル及びリングホルダに交換することにより、全く同一のシャフト及び同一のヘッド本体からなるゴルフクラブにおいて、プログレッションや、シャフトから重心までの距離（重心距離）を調節することができる。
【００１０】
さらに、特許文献１では、ホゼル及びリングホルダを交換せずにシャフトケース付きシャフトを交換してシャフト交換することもできる。即ち、シャフトケースとして全く同型のシャフトケースを用意しておき、このシャフトケースに別特性のシャフトを固着してシャフトケース・シャフト連結体としておき、このシャフトケース・シャフト連結体をそれまでのヘッドシャフトケース・シャフト連結体と交換して当該ヘッドのホゼルに取り付けることにより、シャフトのみが異なったゴルフクラブを得ることができる。
【先行技術文献】
【特許文献】
【００１１】
【特許文献１】特開２０１１−４８０１号公報
【発明の概要】
【発明が解決しようとする課題】
【００１２】
上記特許文献１のゴルフクラブでは、シャフトケースのホゼルカラム内への挿入深さを変更することができない。本発明は、シャフトの交換が容易であると共に、ライ角やスライス角、プログレッション等の特性を調節することができ、しかも、シャフトケースのホゼルカラム内への挿入深さを変更することができるゴルフクラブと、その特性調節方法を提供することを目的とする。
【課題を解決するための手段】
【００１３】
本発明のゴルフクラブは、シャフトの先端にヘッドが取り付けられたゴルフクラブであって、シャフト挿入穴を有した略筒形のシャフトケースの該シャフト挿入穴に該シャフトの先端が挿入されて固着されており、シャフトケースの外周面の軸心と該シャフトの軸心とが非同軸状となっており、該ヘッドのホゼルカラム内に該シャフトケースが挿入され、該シャフトケースが該ホゼルカラムに固定されているゴルフクラブにおいて、該ホゼルカラム内に仕切板部が設けられ、内孔の内周面にスプラインが設けられた第１のスプラインリング及び第２のスプラインリングが該シャフトケースの先端部と該仕切板部との間に介在されており、該仕切板部側の該第１のスプラインリングは該ホゼルカラムに固着されており、該シャフトケースの先端に第１の凸軸部が設けられ、該第１の凸軸部の外周面にスプラインが設けられており、該第２のスプラインリングの第１のスプラインリング側に第２の凸軸部が設けられ、該第２の凸軸部の外周面にスプラインが設けられており、該シャフトケースの第１の凸軸部が該第２のスプラインリングの該内孔に挿入され、該第１の凸軸部のスプラインと該第２のスプラインリングのスプラインとが係合しており、該第２のスプラインリングの第２の凸軸部が該第１のスプラインリングの該内孔に挿入され、該第２の凸軸部のスプラインと該第１のスプラインリングのスプラインとが係合しており、該仕切板部に設けられたボルト挿通孔に対し該ヘッドのソール側から差し込まれたボルトが該シャフトケースにねじ込まれ、これにより該シャフトケースが該ホゼルカラムに固定されており、該第２のスプラインリングを撤去するか長さの異なる第２のスプラインリングに交換することにより該シャフトケースのホゼルカラムへの挿入深さが変更可能となっており、前記シャフトケースの後端にフランジ部が設けられ、該フランジ部と前記ホゼルカラムの上端との間にスペーサが介在されており、前記第２のスプラインリングの撤去又は交換に際して該スペーサが撤去又は長さの異なるスペーサに交換される。
【００１４】
本発明の一態様では、前記シャフトの軸心がシャフトケースの外周面の軸心に対し傾斜方向となっている。
【００１５】
本発明の一態様では、前記シャフトの軸心とシャフトケースの外周面の軸心とが平行である。
【００１６】
本発明では、ヘッドのヒール側にウェイト材が設けられることが望ましい。
【００１７】
本発明（請求項５）のゴルフクラブの特性調節方法は、上記本発明のゴルフクラブの特性を調節する方法であって、前記ボルトを外して前記第２のスプラインリングからシャフトケースの凸軸部を離反させ、該シャフトケースを回転させてシャフト挿入穴の位置又はシャフトの傾きを変更した後、再度該シャフトケースの凸軸部を前記第２のスプラインリングと係合させ、前記ボルトによって該シャフトケースを固定することを特徴とするものである。
【００１８】
本発明（請求項６）のゴルフクラブの特性調節方法は、上記本発明のゴルフクラブの特性を調節する方法であって、前記ボルトを外して前記第１のスプラインリングから第２のスプラインリングの凸軸部を離反させ、該シャフトケースを回転させてシャフト挿入穴の位置又はシャフトの傾きを変更した後、再度該第２のスプラインリングの凸軸部を前記第１のスプラインリングと係合させ、前記ボルトによって該シャフトケースを固定することを特徴とするものである。
【００１９】
本発明（請求項７）のゴルフクラブの特性調節方法は、上記本発明のゴルフクラブのシャフトを新たなシャフトに交換して特性を調節する方法であって、予め新たなシャフトを新たなシャフトケースに固着して新たなシャフトケース・シャフト連結体を作成しておき、ゴルフクラブに取り付けられているシャフトケース・シャフト連結体をヘッドから取り外し、このヘッドに新たなシャフトケース・シャフト連結体を取り付けることを特徴とするものである。
【発明の効果】
【００２０】
本発明のゴルフクラブでは、シャフトケースがホゼルカラムに挿入され、ホゼルカラムの仕切板部とシャフトケースの先端部との間に第１及び第２のスプラインリングが介在している。そして、ソール側から差し込まれたボルトによって該シャフトケースを固定している。この第２のスプラインリングを撤去したり長さの異なるものに交換することにより、シャフトケースのホゼルカラムへの挿入深さを変更することができる。
【００２１】
なお、本発明では、前記特許文献１のリングホルダや、環状螺子部材が不要であり、低コストである。
【００２２】
本発明のゴルフクラブにあっては、第１のスプラインリングがホゼルカラムに固着されている。また、第１のスプラインリングの内孔のスプラインと第２のスプラインリングの凸軸部のスプラインとが係合すると共に、シャフトケースの先端部の凸軸部のスプラインと第２のスプラインリングの内孔のスプラインとが係合しているので、シャフトケースの周方向の位置決めがなされる。
【００２３】
本発明のゴルフクラブにあっては、ボルトを緩めて外すと、第２のスプラインリングの凸軸部を第１のスプラインリングから抜き出すか又はシャフトケースの凸軸部を第２のスプラインリングから抜き出し、周方向に回して向き（周方向の位相）を変えることができる。従って、例えば、シャフトの軸心がシャフトケース外周面の軸心に対し斜め方向（例えば斜交方向）となっているシャフトケースを用いた場合には、シャフトケースの周方向位相を変更することにより、ヘッド本体に対するシャフトの取り付け方向が変更され、ライ角やスライス角が変更される。これにより、全く同一のシャフト及び同一のヘッド本体からなるゴルフクラブにおいて、ライ角又はスライス角のみを調節することができる。
【００２４】
また、シャフトの軸心がシャフトケースの外周面の軸心から平行移動状にずれた形状となっているシャフトケースを用いた場合には、シャフトケースの周方向位相を変更することにより、全く同一のシャフト及び同一のヘッド本体からなるゴルフクラブにおいて、プログレッションや、シャフトから重心までの距離（重心距離）を調節することができる。
【００２５】
本発明では、シャフトケースとして全く同型のシャフトケースを用意しておき、このシャフトケースに別特性のシャフトを固着してシャフトケース・シャフト連結体としておき、このシャフトケース・シャフト連結体をそれまでのヘッドのシャフトケース・シャフト連結体と交換して当該ヘッドのホゼルに取り付けることにより、シャフトが異なったゴルフクラブを得ることができる。
【００２６】
このように、本発明によれば、従来のように加熱によって接着剤の組織を壊してシャフトを取り外し、新たなシャフトを再度接着剤で取り付けるという面倒な手間及び時間を省くことができる。そのため、試打したばかりのゴルフクラブにおいて、シャフトの挿入深さ、ライ角やスライス角、プログレッション、重心距離を速やかに変えて直ちに試打することができる。また、試打したばかりのゴルフクラブのヘッドからシャフトケース・シャフト連結体を取り外し、このヘッドに異なるシャフト特性を有した別のシャフトケース・シャフト連結体を取り付けて直ちに試打を行うことができる。このようにして、ゴルフショップ等でゴルファーが適切なゴルフクラブを見出すことが極めて容易となる。また、ヘッドの固体差を考慮することなくシャフトの評価を行うことができる。
【００２７】
近年、ゴルファーが自分の技量にあったゴルフクラブを探すために、コンピュータや高速カメラなどを使って、自分にマッチしたゴルフクラブを探すシステムが開発されてきている。このようなシステムは、ヘッドスピードや打ち出し角度などを基に個々の市販クラブをベースに打ち比べて探すようにしたシステムである。
【００２８】
これに対し、本発明によれば、同一のシャフトとヘッドよりなるゴルフクラブにおいて、シャフト挿入深さ、ライ角、スライス角、重心距離やプログレッションを変更し、打ち出されたボールの飛球特性（打ち出し角やスピン）の違いを容易に実感することができる。また、同じヘッドに対してシャフトのみを付け替えて、シャフトのみの違いを実感したりすることができる。また、その日のプレーヤーの調子に応じてシャフトを交換したり、シャフトは同一のまま、ライ角やスライス角、プログレッションを調整することもできる。
【図面の簡単な説明】
【００２９】
【図１】（ａ）図は実施の形態に係るヘッドの正面図、（ｂ）図は第２のスプラインリングを撤去したときのヘッドの正面図である。
【図２】ヘッドのヒール側の側面図である。
【図３】第１図のIII−III線断面図である。
【図４】第１図のIV−IV線断面図である。
【図５】ゴルフクラブの分解斜視図である。
【図６】ゴルフクラブの組み立て方法を示す斜視図である。
【図７】実施の形態を示す断面図である。
【図８】実施の形態を示す断面図である。
【図９】実施の形態に用いられるホゼルカラムの構成図であり、（ａ）図は正面斜視図、（ｂ）図は正面図、（ｃ）図は（ｂ）図のＣ−Ｃ線断面図、（ｄ）図は（ａ）図のＤ矢視図、（ｅ）図は（ａ）図のＥ矢視図、（ｆ）図はホゼルカラムの背面図である。
【図１０】別の実施の形態を示す断面図である。
【図１１】別の実施の形態を示す断面図である。
【図１２】ゴルフクラブヘッドの製造方法を示す斜視図である。
【図１３】ゴルフクラブヘッドの製造方法を示す斜視図である。
【図１４】ゴルフクラブヘッドの製造方法を示す斜視図である。
【図１５】別の実施の形態に係るヘッドの側面図である。
【図１６】ウェイト材の取り付け部の断面図である。
【発明を実施するための形態】
【００３０】
以下、図面を参照して実施の形態について説明する。
【００３１】
第１図〜第９図は第１の実施の形態に係るゴルフクラブを示している。なお、第９図は、ホゼルカラムの内孔の傾きを明示するために、第１図〜第８図のホゼルカラムよりも径／長さ比を大きくして図示している。
【００３２】
このゴルフクラブは、ヘッド１のホゼルカラム３にシャフト４を、シャフトケース５、スプラインリング８，２０及びボルト７を介して取り付けたものである。
【００３３】
このヘッド１は中空のウッド型のものであり、フェース部１ａと、クラウン部１ｂと、ソール部１ｃと、トウ部１ｄと、ヒール部１ｅと、バック部１ｆと、ホゼル部１ｇとを有する。
【００３４】
第３図の通り、クラウン部１ｂのフェース部１ａ側かつヒール部１ｅ側にホゼル部１ｇが設けられている。ホゼルカラム３は、このホゼル部１ｇに連なり、ソール部１ｃにまで延在している。このホゼルカラム３は、円筒形のパイプ状であり、その内孔の長手方向（軸心方向）の途中に、該軸心方向と垂直な仕切板部６が設けられている。この仕切板部６の上側に第１のスプラインリング８が配置されている。また、この第１のスプラインリング８よりも上側に第２のスプラインリング２０を介してシャフトケース５が挿入されている。この仕切板部６に設けられたボルト挿通孔（開口）６ａ及び第２のスプラインリング２０に設けられたボルト挿通孔２１にボルト７が下から上へ挿通され、シャフトケース５の雌螺子孔５ｍにねじ込まれている。
【００３５】
第３〜９図の通り、シャフトケース５は、ホゼルカラム３の内径よりも極くわずかに小さい外径を有した円筒形部材であり、上端側から下端側に向って、シャフト４の挿入穴５ｈが設けられている。シャフト４は、このシャフト挿入穴５ｈに挿入され、接着剤によってシャフトケース５に固着されている。このシャフト挿入穴５ｈの深さは１０ｍｍ以上、例えば１０〜５０ｍｍ特に２０〜４０ｍｍ程度が好ましい。
【００３６】
シャフトケース５の上端（後端）には外向き鍔状のフランジ部５ｂが設けられている。このフランジ部５ｂは、円環形板状であるが、上方ほど小径となるテーパ形状となっていてもよく、また、これらに限定されない。シャフトケース５の上部に円筒形のスペーサ３０が外嵌しており、フランジ部５ｂとホゼルカラム３の上端面との間に介在している。
【００３７】
このシャフトケース５の下部（先端部）に第１の凸軸部５ａが突設されている。凸軸部５ａの軸心はシャフトケース５の外周面の軸心と共通である。凸軸部５ａの外周面にスプライン（軸心線と平行方向の凸条）が設けられている。なお、凸軸部５ａの付け根部分に溝５ｅ（第９図）が周設されている。
【００３８】
凸軸部５ａの先端面から軸心線方向に貫通するように雌螺子孔５ｍが設けられている。
【００３９】
第５図の通り、第１のスプラインリング８は外周形状が円筒形のリングである。スプラインリング８を軸心方向に貫く内孔の内周面にスプラインが設けられている。
【００４０】
第２のスプラインリング２０外周面が円筒形の筒状部２２と、該筒状部２２の下端面から突設された凸軸部２３とを有する。筒状部２２の内周面と凸軸部２３の外周面にそれぞれスプラインが設けられている。
【００４１】
第１のスプラインリング８のスプラインに対し第２のスプラインリング２０の凸軸部２３のスプラインが係合し、第２のスプライン２０のスプラインに対しシャフトケース５の凸軸部５ａのスプラインが係合する。なお、この実施の形態ではスプラインは８条設けられており、シャフトケース５の周方向の位相を４５°ずつ変更できるようにしている。ただし、スプラインを４条とし、シャフトケース５の周方向の位相を９０°ずつ変更できるようにしてもよい。また、スプラインの数を１２条、１６条又は２０条などとしてもよい。
【００４２】
第１のスプラインリング８は、ホゼルカラム３内に挿入され、該ホゼルカラム３に対し溶接されている。この溶接方法については後述する。
【００４３】
ゴルフクラブを組み立てるには、予めスプラインリング８をホゼルカラム３の奥底部に配置し、溶接しておく。また、第５図のように、シャフト４の先端にシャフトケース５を接着剤を用いて固着してシャフトケース・シャフト連結体としておく。好ましくは、この接着剤をシャフト４の先端部の外周面に塗着し、シャフトケース５のシャフト挿入穴５ｈの最奥部まで該シャフト４を差し込む。接着剤としてはエポキシ系接着剤などが好適である。
【００４４】
第６図の通り、このシャフトケース・シャフト連結体の該シャフトケース５にスペーサ３０を外嵌させ、シャフトケース５の凸軸部５ａに第２のスプラインリング２０を係合させておく。この第２のスプライン２０付きのシャフトケース５をホゼルカラム３に差し込み、第２のスプライン２０の凸軸部２３をスプラインリング８の内孔に差し込み、凸軸部２３のスプラインとスプラインリング８のスプラインとを係合させる。次いで、ボルト７をボルト挿通孔６ａ，２１を通して雌螺子孔５ｍにねじ込む。
【００４５】
これにより、第１図（ａ）及び第３図の通り、シャフトケース５がヘッド１に固定される。シャフトケース５とシャフト４とは接着剤によって強固に接着されているので、これにより、シャフト４とヘッド１とが一体となったゴルフクラブが完成する。シャフトケース５のスプラインと第２のスプラインリング２０のスプラインとが係合し、第２のスプラインリング２０のスプラインと第１のスプラインリング８のスプラインとが係合しているので、シャフト４及びシャフトケース５の周方向位相が正確に決まる。また、シャフト４及びシャフトケース５のトルク方向の固定剛性が高い。
【００４６】
スプラインリング８，２０はホゼルカラム３内の奥部にのみ配置される軸長の短い環状部材であり、重量が小さい。
【００４７】
なお、スペーサ３０の軸方向長さと第２のスプラインリング２０の筒状部２２の軸方向長さとは同一であり、スペーサ３０はフランジ部５ｂとホゼルカラム３の上端面との間に挟持される。スペーサ３０の上端面とフランジ部５ｂとの間及びホゼルカラム３の上端面とスペーサ３０の下端面との間の少なくとも一方に、ゴム、合成樹脂等のワッシャを介在させてもよい。スペーサ３０をゴム、合成樹脂等で構成してもよい。
【００４８】
本発明では、第１図（ｂ）、第４，８図のように第２のスプラインリング２０及びスペーサ３０を撤去することにより、シャフトケース５のホゼルカラム３への挿入深さを大きくすることができる。これにより、外観点にはゴルフクラブのシャフトが短くなったものとなる。
第２のスプラインリング２０及びスペーサ３０を軸方向長さの異なるもの（第２のスプラインリング２０の場合は筒状部２２の軸方向長さが異なるもの）に変更することによってもシャフトケース５のホゼルカラム３への挿入深さを変更することができる。
【００４９】
本発明では、ゴルフクラブのシャフト交換も容易に行うことができる。ゴルフクラブのシャフト交換を行うには、交換すべき新シャフトに、予め上記シャフトケース５と同型のシャフトケースを接着剤によって固着しておく。
【００５０】
既存のゴルフクラブのボルト７を外し、旧シャフト４を旧シャフトケース５共々ヘッド１から取り外す。次いで、シャフトケース付きの新シャフト（シャフトケース・シャフト連結体）をヘッド１に差し込み、ボルト７によって固定する。
【００５１】
このようにシャフトの取り付けや交換を極めて簡単かつ迅速に行うことができる。なお、従来では、シャフトの交換に際し既存のゴルフクラブのホゼル部分を加熱して接着剤硬化物の組織を壊し、シャフトを抜いた後、新シャフトを接着剤で固着するようにしていたため、数時間〜１日程度の時間がかかっていたが、上記実施の形態では、予め新シャフトにシャフトケース５を接着剤で取り付けておくことにより、シャフト交換を数分程度で行うことができる。従って、シャフトケース付きの各種スペックのシャフトを用意しておき、同一のヘッド１に順次に異なるシャフトを取り付けて試打する様な利用方式が実現可能となる。
【００５２】
この実施の形態では、第７〜９図のように、シャフト挿入穴５ｈの軸心をシャフトケース５の外周面の軸心すなわちホゼルカラム３の軸心に対し斜めとし、シャフト４の傾きを変更可能としている。具体的には、第９図（ｃ）のように、シャフトケース５の外周面の軸心線ａ１とシャフト挿入穴５ｈの軸心線ａ２とは角度θにて斜交している。通常の場合、この角度θは０．１〜５°特に０．２５〜３°程度が好適である。なお、第８図は第７図から第２のスプライン２０及びスペーサ３０を撤去してシャフトケース５のホゼルカラム３への挿入深さを大きくした状態を示している。
【００５３】
なお、軸心線同士は交差しなくてもよく、「ねじれ」の関係にあってもよい。即ち、両者の軸心線は交わることがなく、一方の軸心線が他方の軸心線の近傍を通り抜ける関係であってもよい。
【００５４】
第９図（ａ）のように、シャフトケース５のフランジ部５ｂの外周面には、軸心線ａ１，ａ２を含む平面が該フランジ部５ｂの外周面と交わる位置であって、かつ、軸心線ａ１を挟んで軸心線ａ２と反対側の位置に、中立位置を意味するマーク「Ｎ」が付されている。また、このマーク「Ｎ」の下側（凸軸部５ａ側）に、中立位置を意味する単語よりなるマーク「ＮＥＵＴＲＡＬ」が付されている。「Ｎ」及び「ＮＥＵＴＲＡＬ」から９０°左側には「Ｒ」、「ＲＩＧＨＴ」が付されており、９０°右側には「Ｌ」、「ＬＥＦＴ」が付されている。マーク「Ｎ」、「ＮＥＵＴＲＡＬ」と１８０°反対側には「Ｕ」、「ＵＰＲＩＧＨＴ」が付されている。ＮＥＵＴＲＡＬ、ＲＩＧＨＴ、ＬＥＦＴ及びＵＰＲＩＧＨＴの各マークは、いずれも軸心線と平行方向に延在している。
【００５５】
第１〜３図では、シャフトケース５のマークＮ及びＮＥＵＴＲＡＬがトウ側を向いている。この状態が、このゴルフクラブの標準状態となっている。
【００５６】
これに対し、第７，８図では、シャフトケースを第１〜３図の状態から平面視において時計回り方向に９０°回転させており、マークＬ及びＬＥＦＴがトウ側を向いている。すなわち、第９図（ｆ）の面がトウ側を向いている。このため、第７，８図では、シャフト４の軸心線がホゼルカラム３の軸心線に対してフェース側に傾いている。第７，８図の状態からシャフトケース５を９０°又は１８０°回すことにより、シャフト４の傾き方向を変えることができる。即ち、シャフト４をトウ側に傾けたり、バック側へ傾けたりすることができる。
【００５７】
このようにシャフト４の傾きの向きを変えることによりライ角及びスライス角を変えることができる。
【００５８】
ライ角に関して説明すれば、マークＮ及びＮＥＵＴＲＡＬをトウ側に向けることにより、シャフト４を最もヒール側に傾けた場合が最も小さく、最もフラットライである。マークＵ及びＵＰＲＩＧＨＴをトウ側に向けた場合、すなわち第９図（ｅ）の面をトウ側に向けた場合が最もアップライである。
【００５９】
スライス角に関して説明すれば、第９図（ｂ）の面（Ｎ、ＮＥＵＴＲＡＬ）をトウ側に向けた状態が標準状態である。マークＬ、ＬＥＦＴをトウ側に向けることによりシャフト４を最もフェース側に傾けた第８図ではフェース面が最も閉じたフックフェースとなっている。これと反対にマークＲ、ＲＩＧＨＴをトウ側に向けてシャフト４を最も後方へ傾けることにより、フェース面が最もオープンとなったスライスフェースとなる。
【００６０】
このように、第９図のシャフトケース５を用いることにより、ヘッド１に対するシャフト４の傾き方向を変更することができ、ライ角及びスライス角を変えることができる。なお、上記説明では、シャフトケース５の向きを９０°毎に変更しているが、４５°毎に変更してもよい。このようにすれば、上記の各状態の中間状態とすることができる。例えば、「若干フックフェース」、「若干スライスフェース」、「若干アップライ」などのようにゴルフクラブのスペックを微調節することができる。
【００６１】
第１１図のシャフトケース５Ａは、シャフト挿入穴５ｈをシャフトケース５の軸心位置から偏心させたものである。シャフト挿入穴５ｈの軸心は、シャフトケース５の外周面の軸心と平行でかつそれから若干（例えば０．５〜４ｍｍ）離隔している。
【００６２】
このシャフトケース５Ａを用いることにより、シャフトのプログレッションを調節することができる。例えば、第１１図に示すようにシャフト４を第３図の場合よりも偏心距離分だけフェース側に近づけることができる。
【００６３】
この第１１図に示す状態から、ボルト７を外してシャフトケース５Ａを一旦ホゼルカラム３から抜き出し、９０°、１８０°又は２７０°回すことによりシャフト４の位置をヒール側、バック側又はトウ側に平行移動状に変更することができる。このようにシャフト４の位置を変更することにより、シャフト軸心からヘッド重心までの距離が変更される。また、シャフト４の位置をフェース側又はバック側とすることによりプログレッションが変更される。
【００６４】
上記スプラインリング、シャフトケース、ホゼルカラム、及びボルトは金属製とされることが好ましく、特にアルミ又はチタンもしくはそれらの合金よりなることが好ましい。シャフトケースとしては、アルミ合金で、アルマイト処理を施して、キズが付きにくい様に表面硬度を高くしたものを用いることができるが、これに限定されない。ホゼルカラムとしては、純チタンよりなり、切削加工により製作されたものを用いることができるが、これに限定されない。本発明の一例にあっては、ホゼルカラム３の上端の内径は約１０．５ｍｍ、下端の内径は約８．５ｍｍ、ボルト７のネジ棒部の直径は約４〜５ｍｍとされるが、これに限定されない。
【００６５】
ヘッドの材質は特に限定されないが、ウッド型ゴルフクラブヘッドの場合、例えばチタン合金やアルミ合金、ステンレス等とすることができる。フェース面に使用するチタン合金は、比重の低いチタン合金が好ましく、Ｔｉ−６Ａｌ−１Ｆｅまたは、Ｔｉ−６Ａｌ−２Ｆｅ、Ｔｉ−６Ａｌ−３Ｆｅのチタン合金が好ましい。これらのチタン合金の比重はおよそ４．４程度である。比重４．４のチタン合金としては、以下の様なものがある。
Ｔｉ−８Ａｌ−１Ｖ−１Ｍｏ（比重４．３７）
Ｔｉ−７Ａｌ−２Ｖ（比重４．３５）
Ｔｉ−７．５Ａｌ−２Ｖ（比重４．３５）
Ｔｉ−８Ａｌ−１Ｖ（比重４．３４）
Ｔｉ−８Ａｌ−２Ｖ（比重４．３５）
Ｔｉ−８Ａｌ−１Ｖ−１Ｍｏ−０．１５Ｃ（比重４．３７）
Ｔｉ−６Ａｌ−１Ｆｅ（比重４．３８）
【００６６】
なお、シャフト４に取り付けるグリップとして、断面が非真円形のものを用いることがある。例えば、グリップ外周面のうちアドレス状態で地面を指向する下側面をその他の面よりも膨出した形状とすることがある。このような場合、シャフトケース５，５Ａの向きを変えたときに、グリップ膨出部が地面側とならないことがある。そこで、本発明では、断面真円形のグリップを用いるのが好ましい。
【００６７】
上記実施の形態ではゴルフクラブヘッドはウッド型であるが、それに近似したユーティリティ型のゴルフクラブヘッドにも本発明を適用することができる。
【００６８】
次に、このゴルフクラブヘッドの製造方法について説明する。
【００６９】
この製造方法では、第１２，１３図のように、クラウン部とフェース部とが開放しているヘッド本体１０を用いる。第１２図の通り、このヘッド本体１０にホゼルカラム３を溶接により一体化する。ホゼルカラム３には、仕切板部６の上側に１個又は複数個の孔１１が設けられている。孔１１は、ホゼルカラム３の内周面から外周面にまで貫いている。この実施の形態では、孔１１として、フェース部側を向く孔と、トウ側ないしバック側を向く孔１１とが設けられている。
【００７０】
シャフトケース５の先端に第１のスプラインリング８を装着し、シャフトケース５の第１の凸軸部５ａとスプラインリング８のスプライン同士を係合させる。このスプラインリング８付きシャフトケース５をホゼルカラム３内に差し込み、第１４図のようにスプラインリング８を仕切板部６に当接させる。この状態で、孔１１がスプラインリング８の外周面に対面する。
【００７１】
次いで、シャフトケース５のフランジ５ｂに設けられた「Ｎ」マークがトウ側を向くようにシャフトケース５の向き（周方向の位相）を調整する。この後、孔１１を介して溶接作業を行い、ホゼルカラム３とスプラインリング８とを溶接する。この溶接には、ＴＩＧ（ティグ）溶接機などを用い、ホゼルカラム３とスプラインリング８の両方を溶かし、溶接する方法などを採用することができるが、これに限定されない。第１４図の矢印Ｗはこの溶接時の電極等の接近方向を示している。
【００７２】
溶接終了後、シャフトケース５をホゼルカラム３から引き抜く。スプラインリング８は、ホゼルカラム３内に残置されたままとなる。
【００７３】
その後、第１２図のように、ヘッド本体１０のクラウン部とフェース部にそれぞれ閉鎖プレートとしてクラウン部１ｂとフェース部１ａを溶接し、次いでクラウン部１ｂの前縁とフェース部１ａの上縁とを溶接する。次いで、バリ取り、塗装などの仕上処理を施す。これにより、ホゼルカラム３内の奥部にスプラインリング８が溶接されたゴルフクラブヘッド１が得られる。
【００７４】
なお、クラウン部１ｂとフェース部１ａとが一連一体となったプレートをヘッド本体１０に溶接してもよい。また、クラウンの一部又は全体をＣＦＲＰにて構成してもよい。
【００７５】
第１３，１４図では、クラウン部とフェース部とに開放部を設けたヘッド本体１０を用いているが、フェース部とソール部又はヒール側サイド部の一部とに開放部が設けられたヘッド本体を用いてもよい。孔１１がフェース部側だけに設けられているときには、フェース部のみが開放部となっているヘッド本体を用いてもよい。ただし、孔１１を周方向に間隔をあけて複数個設け、複数箇所で溶接を施すようにした方が、スプラインリング８の固定強度が高くなり、好ましい。
【００７６】
第１３，１４図では、スプラインリング８をシャフトケース５に保持させているが、シャフトケース５と同形の先端部を有した治具を用いてもよい。この治具は、シャフトケース５よりも長い長さを有しており、マークＮと同様の目印を有していることが好ましい。
【００７７】
本発明では、ヘッドのヒール側にウェイト材を配置することが好ましい。これは、本発明のゴルフクラブにおいて、クラブ長を大きくすべくヒール側にスプラインリング２０及びスペーサ３０を配置した場合の重量増加分をウェイト材の取り外しによって相殺できるようにするためである。また、クラブ長を長くするとスイングバランスが変わってしまうため、同じバランスにするには、ヘッドの重量を軽くする必要があるからである。
【００７８】
第１５図はかかるウェイト材付きヘッド１Ａの一例を示す側面図であり、ヒール側のソール部に２個のウェイト材Ｗを設け、サイド部に２個のウェイト材Ｗを設けている。ただし、ウェイト材Ｗの数はこれに限定されない。例えばウェイト材は１個だけ設けられてもよい。また、ウェイト材をソール部にのみ設けてもよく、サイド部にのみ設けてもよい。
【００７９】
第１６図はウェイト材の取り付け構造の一例を示す断面図であり、ヘッド１Ａに凹部Ｈが設けられ、ナットＮが溶接によりヘッド内側に固着されている。このナットＮに対しビス形のウェイト材Ｗが螺着されている。ウェイト材Ｗの材質としては、ナイロン、アルミ合金、ステンレス、タングステン、タングステン合金などが例示されるが、これに限定されない。
【００８０】
なお、本発明では、フェース角やライ角を変えると、スイング中のヘッドの返り方（向き）が変わってくるが、これに対しては、シャフト周辺に配置したウェイト材の重量を調整することにより対応することができる。
【符号の説明】
【００８１】
１，１Ａ  ヘッド
１ａ  フェース部
１ｅ  ヒール部
３  ホゼルカラム
４  シャフト
５，５Ａ  シャフトケース
５ａ  凸軸部
５ｈ  シャフト挿入穴
５ｍ  雌ねじ孔
６  仕切板部
６ａ  ボルト挿通孔
７  ボルト
８  第１のスプラインリング
１０  ヘッド本体
１１  孔
２０  第２のスプラインリング
２１  ボルト挿通孔
２２  筒状部
２３  第２の凸軸部
３０  スペーサ
【図１】
0005716592.tif 000002
【図２】
0005716592.tif 000003
【図３】
0005716592.tif 000004
【図４】
0005716592.tif 000005
【図５】
0005716592.tif 000006
【図６】
0005716592.tif 000007
【図７】
0005716592.tif 000008
【図８】
0005716592.tif 000009
【図９】
0005716592.tif 000010
【図１０】
0005716592.tif 000011
【図１１】
0005716592.tif 000012
【図１２】
0005716592.tif 000013
【図１３】
0005716592.tif 000014
【図１４】
0005716592.tif 000015
【図１５】
0005716592.tif 000016
【図１６】
0005716592.tif 000017